(57)【要約】【課題】像面位相差ＡＦによって容易に合焦を行えるばかりでなく、撮像素子の出力である撮像画像の画質が劣化することがないようにする。【解決手段】撮像センサー１０２は２次元マトリックス状に配列された複数の画素と画素の各々に対応して配置され画素に光を入射する際の光軸が可変の可変マイクロレンズとを有している。制御用ＣＰＵ１０７は動画撮影又はライブビュー動作の際には、可変マイクロレンズの一部を交互に逆方向に偏心させて光軸を変更する第１の偏心モードとし、ＡＦ制御を行う際には可変マイクロレンズの全てを交互に逆方向に偏心させて光軸を変更する第２の偏心モードとする。【選択図】図１
2014206709.tif 000002
【特許請求の範囲】
【請求項１】
２次元マトリックス状に配列された複数の画素と、前記画素の各々に対応して配置され前記画素に光を入射する際の光軸が可変の可変マイクロレンズとを有する撮像素子を備え、前記撮像素子の出力を画像として得る撮像装置であって、
動画撮影又はライブビュー動作の際には、前記可変マイクロレンズの一部を交互に逆方向に偏心させて前記光軸を変更する第１の偏心モードとする第１のモード変更手段と、
オートフォーカス制御を行う際には、前記可変マイクロレンズの全てを交互に逆方向に偏心させて前記光軸を変更する第２の偏心モードとする第２のモード変更手段と、
を有することを特徴とする撮像装置。
【請求項２】
前記第２の偏心モードとされると、前記撮像素子の出力に基づいて前記オートフォーカス制御として像面位相差オートフォーカス制御を行う制御手段を有することを特徴とする請求項１に記載の撮像装置。
【請求項３】
前記像面位相差オートフォーカス制御を行った後、静止画撮影指示が行われると、前記可変マイクロレンズの全ての偏心を解除して前記光軸を所定の方向とする第３の偏心モードに変更する第３のモード変更手段を有することを特徴とする請求項２に記載の撮像装置。
【請求項４】
前記画素の各々に対応してカラーフィルターが配置され、前記複数の画素はベイヤー配列で配列されており、前記撮像素子は互いに隣り合う同色のカラーフィルターが配置された画素の画素加算を行うことを特徴とする請求項１〜３のいずれか１項に記載の撮像装置。
【請求項５】
前記第１の偏心モードにおいては、所定の色のカラーフィルターが配置された画素に対応する前記可変マイクロレンズを交互に逆方向に偏心させ、他の色のカラーフィルターが配置された画素に対応する前記可変マイクロレンズを同一方向に偏心させることを特徴とする請求項４に記載の撮像装置。
【請求項６】
前記第２の偏心モードにおいては、同一の色のカラーフィルターが配置された画素に対応する前記可変マイクロレンズを交互に逆方向に偏心させることを特徴とする請求項４又は５に記載の撮像装置。
【請求項７】
２次元マトリックス状に配列された複数の画素と、前記画素の各々に対応して配置され前記画素に光を入射する際の光軸が可変の可変マイクロレンズとを有する撮像素子を備え、前記撮像素子の出力を画像として得る撮像装置の制御方法であって、
動画撮影又はライブビュー動作の際には、前記可変マイクロレンズの一部を交互に逆方向に偏心させて前記光軸を変更する第１の偏心モードとする第１のモード変更ステップと、
オートフォーカス制御を行う際には、前記可変マイクロレンズの全てを交互に逆方向に偏心させて前記光軸を変更する第２の偏心モードとする第２のモード変更ステップと、
を有することを特徴とする制御方法。
【請求項８】
２次元マトリックス状に配列された複数の画素と、前記画素の各々に対応して配置され前記画素に光を入射する際の光軸が可変の可変マイクロレンズとを有する撮像素子を備え、前記撮像素子の出力を画像として得る撮像装置で用いられる制御プログラムであって、
前記撮像装置が備えるコンピュータに、
動画撮影又はライブビュー動作の際には、前記可変マイクロレンズの一部を交互に逆方向に偏心させて前記光軸を変更する第１の偏心モードとする第１のモード変更ステップと、
オートフォーカス制御を行う際には、前記可変マイクロレンズの全てを交互に逆方向に偏心させて前記光軸を変更する第２の偏心モードとする第２のモード変更ステップと、
を実行させることを特徴とする制御プログラム。
【発明の詳細な説明】
【技術分野】
【０００１】
本発明は、撮像装置、その制御方法、および制御プログラムに関し、特に、像面位相差を検出してＡＦ（オートフォーカス制御）を行う撮像装置に関する。
【背景技術】
【０００２】
一般に、デジタルカメラなどの撮像装置において、焦点検出（合焦検出）を行う際には所謂コントラスト方式又は位相差方式が用いられている。
【０００３】
コントラスト方式においては、撮像レンズ（フォーカスレンズ）を光軸に沿って移動させつつ（つまり、フォーカシング状態を変化させつつ）、撮像素子から得られる画像のコントラスト値を評価する。そして、当該コントラスト値に応じてフォーカスレンズの合焦位置を求めるので、合焦させるまでに時間が掛かってしまう。
【０００４】
一方、位相差方式においては、一度の測定でデフォーカス量を求められるので、高速に合焦を行うことができるものの、専用のＡＦ光学系が必要となって、撮像装置が大型してしまう。
【０００５】
位相差方式におけるこのような問題を解決するため、撮像素子自体に位相差ＡＦ機構を備える撮像装置が知られている（特許文献１参照）。つまり、ここでは、オンチップレンズ（マイクロレンズ）によって、２つの画素集合が撮影レンズの異なる領域から光束を受光し、２つの画素集合の出力を比較することによって撮影レンズのフォーカス量を算出するようにしている。以下、撮像素子自体による位相差ＡＦを像面位相差ＡＦと呼ぶ。
【０００６】
なお、撮像素子の光電変換素子に対する入射光の変化に対処するため、撮像素子に配置されるマイクロレンズに流体レンズなどの形状可変レンズを用いるようにしたものがある（特許文献２又は３参照）。さらに、光学的収差を補正するため、所謂液体レンズを用いて当該液体レンズに印加する印加電圧を制御して界面の形状を変化させるようにしたものがある（特許文献４参照）。
【先行技術文献】
【特許文献】
【０００７】
【特許文献１】特開２００９−８６１４４号公報
【特許文献２】特開２００８−１７２６８２号公報
【特許文献３】特開２００４−３１１６６６号公報
【特許文献４】特開２００９−３７７１１号公報
【発明の概要】
【発明が解決しようとする課題】
【０００８】
ところで、特許文献１に記載の撮像装置においては、専用のＡＦ光学系が不要となって、しかも１回の測定でデフォーカス量を求めることができるものの、位相差を検出するためマイクロレンズを特殊な形状に形成する必要がある。このため、撮像素子から出力される撮像画像における画質が劣化してしまうことがある。
【０００９】
従って、本発明の目的は、像面位相差ＡＦによって容易に合焦を行えるばかりでなく、撮像素子の出力である撮像画像の画質が劣化することのない撮像装置、その制御方法、および制御プログラムを提供することにある。
【課題を解決するための手段】
【００１０】
上記の目的を達成するため、本発明による撮像装置は、２次元マトリックス状に配列された複数の画素と、前記画素の各々に対応して配置され前記画素に光を入射する際の光軸が可変の可変マイクロレンズとを有する撮像素子を備え、前記撮像素子の出力を画像として得る撮像装置であって、動画撮影又はライブビュー動作の際には、前記可変マイクロレンズの一部を交互に逆方向に偏心させて前記光軸を変更する第１の偏心モードとする第１のモード変更手段と、オートフォーカス制御を行う際には、前記可変マイクロレンズの全てを交互に逆方向に偏心させて前記光軸を変更する第２の偏心モードとする第２のモード変更手段と、を有することを特徴とする。
【００１１】
本発明による制御方法は、２次元マトリックス状に配列された複数の画素と、前記画素の各々に対応して配置され前記画素に光を入射する際の光軸が可変の可変マイクロレンズとを有する撮像素子を備え、前記撮像素子の出力を画像として得る撮像装置の制御方法であって、動画撮影又はライブビュー動作の際には、前記可変マイクロレンズの一部を交互に逆方向に偏心させて前記光軸を変更する第１の偏心モードとする第１のモード変更ステップと、オートフォーカス制御を行う際には、前記可変マイクロレンズの全てを交互に逆方向に偏心させて前記光軸を変更する第２の偏心モードとする第２のモード変更ステップと、を有することを特徴とする。
【００１２】
本発明による制御プログラムは、２次元２次元マトリックス状に配列された複数の画素と、前記画素の各々に対応して配置され前記画素に光を入射する際の光軸が可変の可変マイクロレンズとを有する撮像素子を備え、前記撮像素子の出力を画像として得る撮像装置で用いられる制御プログラムであって、前記撮像装置が備えるコンピュータに、動画撮影又はライブビュー動作の際には、前記可変マイクロレンズの一部を交互に逆方向に偏心させて前記光軸を変更する第１の偏心モードとする第１のモード変更ステップと、オートフォーカス制御を行う際には、前記可変マイクロレンズの全てを交互に逆方向に偏心させて前記光軸を変更する第２の偏心モードとする第２のモード変更ステップと、を実行させることを特徴とする。
【発明の効果】
【００１３】
本発明によれば、オートフォーカス制御を行う際には、可変マイクロレンズの全てを交互に逆方向に偏心させて光軸を変更するようにしたので、像面位相差オートフォーカス制御を行いつつ、撮影の際の画質の劣化を軽減することができる。
【図面の簡単な説明】
【００１４】
【図１】本発明の実施の形態による撮像装置の一例についてその構成を示すブロック図である。
【図２】図１に示す撮像センサーの構成の一例を示す断面図である。
【図３】図２に示すベイヤー配列の撮像センサーにおける重心ズレを説明するための図である。
【図４】図２に示す可変マイクロレンズの偏心の一例を示す図である。
【図５】図２に示す可変マイクロレンズの偏心を説明するための図であり、（ａ）は可変マイクロレンズが偏心されていない状態を示す図、（ｂ）は可変マイクロレンズが第１の偏心マイクロレンズとされた状態を示す図、（ｃ）は可変マイクロレンズが第２の偏心マイクロレンズとされた状態を示す図である。
【図６】図４に示すようにして可変マイクロレンズ２０１を偏心させた際の重心ズレを示す図である。
【図７】図２に示す可変マイクロレンズの偏心の他の例を示す図である。
【図８】図１に示すカメラで行われる可変マイクロレンズの形態切り替え制御を説明するためのフローチャートである。
【発明を実施するための形態】
【００１５】
以下、本発明の実施の形態による撮像装置の一例について図面を参照して説明する。
【００１６】
図１は、本発明の実施の形態による撮像装置の一例についてその構成を示すブロック図である。
【００１７】
図示の撮像装置１００は、例えば、デジタルカメラ（以下単にカメラと呼ぶ）であり、撮影レンズユニット（以下光学系と呼ぶ）１０１を有している。光学系１０１はフォーカスレンズを含む複数のレンズ（レンズ群）および絞りを備えており、後述するように、フォーカスレンズを光軸に沿って移動させて合焦が行われる。
【００１８】
光学系１０１を通過した光学像（被写体像）は撮像センサー（例えば、ＣＭＯＳイメージセンサー、撮像素子ともいう）１０２に結像する。図１には示されていないが、撮像センサー１０２は、複数の画素が２次元マトリックス状に配列されている。
【００１９】
ここでは、撮像センサー１０２は可変マイクロレンズおよびカラーフィルターを備え、複数の画素が格子状に並べられてベイヤー配列を形成し、画素の各々に可変マイクロレンズおよびカラーフィルターが対応づけられている。そして、撮像センサー１０２は被写体像に応じた電気信号（アナログ信号）を出力する。
【００２０】
このアナログ信号はＡ／Ｄ変換部１０３によってＡ／Ｄ変換されて、デジタル信号として信号処理部１０４に与えられる。信号処理部１０４は、ベイヤー配列のデジタル信号に対して、例えば、デモザイキング処理、γ補正、およびシャープネス補正などの信号処理を行って、表示・記録用の画像データに変換する。そして、信号処理部１０４は画像データを表示デバイス（例えば、液晶モニター）１０５に出力して画像データに応じた画像を表示デバイス１０５に表示する。
【００２１】
さらに、信号処理部１０５は画像データを記録デバイス１０６に与える。記録デバイス１０６は制御用ＣＰＵ１０７の制御下で画像データを記録メディア（例えば、ＳＤメモリカード）に記録する。
【００２２】
制御用ＣＰＵ１０７はカメラ１００全体の制御を司る。なお、制御用ＣＰＵ１０７はレリーズボタン１０８の操作に応じて、後述するようにしてオートフォーカス制御（ＡＦ）および撮影動作を実行する。
【００２３】
図２は、図１に示す撮像センサー１０２の構成の一例を示す断面図である。
【００２４】
図示のように、撮像センサー１０２は複数の画素２０３を有し、これら画素２０３の各々は光電変換素子（ＰＤ）を有している。ＰＤの上側にはＰＤに対応してカラーフィルター２０２が搭載され、カラーフィルター２０２上には集光用の可変マイクロレンズ２０１が配置されている。
【００２５】
可変マイクロレンズ２０１は画素２０３に入射する光に関する光軸の向きが可変であるマイクロレンズである。以下の説明では、光軸の向きが可変であることを「偏心する」という。例えば、可変マイクロレンズ２０１は液体マイクロレンズと分割電極とを備えて、分割電極に電圧を加えて液体マイクロレンズを偏心させる。
【００２６】
なお、可変マイクロレンズについては前述の特許文献２〜４に記載されているので、ここでは詳細な説明を省略する。また、後述するように、ここでは、可変マイクロレンズは、動画用マイクロレンズ形態、ＡＦ用マイクロレンズ形態、および静止画用マイクロレンズ形態の３つの偏心に選択的に制御される。
【００２７】
動画用マイクロレンズ形態（第１の偏心モード）では、可変マイクロレンズ２０１を制御して動画用に偏心させる。そして、動画用の偏心においては、静止画撮影用に多数の画素が搭載された撮像センサー１０２において、撮像センサー１０２で画像を動画サイズに縮小して読み出す際に生じる画素重心のズレを軽減するように、可変マイクロレンズ２０１が偏心制御される。
【００２８】
図３は、図２に示すベイヤー配列の撮像センサーにおける重心ズレを説明するための図である。
【００２９】
図３においては、説明の便宜上、２画素を加算して読み出す際の重心ズレが示されており、ここでは、水平方向の画素加算が示されている。図示の例では、カラーフィルター２０２としてＲ（赤）カラーフィルターおよびＧ１（緑）カラーフィルターが用いられ、同色の隣り合う画素であるＲ画素３０１およびＲ画素３０３を加算すると、加算結果の画素重心位置はＧ１画素３０２と同一の位置にあるＲ画素３１０となる。
【００３０】
同様にして、Ｇ１画素３０２とＧ１画素３０４とを加算した加算結果の画素重心位置はＧ１画素３１１となる。そして、次のＲ画素ペアを加算すると、加算結果の画素重心位置はＲ画素３１２の重心位置となる。また、次のＧ１画素ペアを加算すると、加算結果の画素重心位置はＧ１画像３１３の重心位置となる。
【００３１】
この際、Ｒ画素３１０とＧ１画素３１１とは互いに隣接しているが、Ｇ１画素３１１とＲ画素３１２との間には隙間がある。そして、隙間を詰めて読み出しが行われる結果、画素重心位置が等間隔であるとして信号処理を行うと画質の劣化が生じる。そこで、可変マイクロレンズ２０１を動画用に偏心させて、上記の重心ズレを軽減する。
【００３２】
図４は、図２に示す可変マイクロレンズ２０１の偏心の一例を示す図である。
【００３３】
図４に示す可変マイクロレンズ２０１の偏心は、動画用マイクロレンズ形態おいて用いられる。図４において、１ラインに２色ある画素のうち一方（ここでは、Ｒ画素）については、可変マイクロレンズ２０１を同一方向に所定の偏心量で偏心させる。
【００３４】
他方の画素（ここでは、Ｇ１画素）については、可変マイクロレンズ２０１を交互に異なる方向（つまり、逆方向）に所定の偏心量で偏心させる。
【００３５】
つまり、図示の例では、所定の色のカラーフィルター２０２に対応する可変マイクロレンズ２１０の一部についてその偏心を交互に逆方向としている。ここでは、図中左方向に偏心させた可変マイクロレンズ２０１を第１の偏心マイクロレンズ４０１として示し、図中右方向に偏心させた可変マイクロレンズ２１０を第２の偏心マイクロレンズ４０２として示す。
【００３６】
図５は、図２に示す可変マイクロレンズ２０１の偏心を説明するための図である。そして、図５（ａ）は可変マイクロレンズ２０１が偏心されていない状態を示す図であり、図５（ｂ）は可変マイクロレンズ２０１が第１の偏心マイクロレンズ４０１とされた状態を示す図である。また、図５（ｃ）は可変マイクロレンズ２０１が第２の偏心マイクロレンズ４０２とされた状態を示す図である。
【００３７】
図５（ａ）に示す偏心なしの状態では、可変マイクロレンズ２１０の重心位置５００は画素（ＰＤ）の中心となる。一方、第１の偏心マイクロレンズ４０１の場合には（図５（ｂ））、その重心位置５０１は重心位置５００よりも図中左側にずれた位置となる。また、第２の偏心マイクロレンズ４０２の場合には（図５（ｃ））、その重心位置５０２は重心位置５００を軸として重心位置５０１と線対称の位置となる。
【００３８】
図６は、図４に示すようにして可変マイクロレンズ２０１を偏心させた際の重心ズレを示す図である。
【００３９】
図６において、入力画像において「第１」として示されている画素については、可変マイクロレンズ２０１は第１の偏心マイクロレンズ４０１に偏心され、「第２」として示されている画素については、可変マイクロ２０１は第２の偏心マイクロレンズ４０２に偏心されている。
【００４０】
このように、可変マイクロレンズ２０１を偏心させると、図５で説明したように、画素の重心位置は画素中心からずれた位置に偏る。この結果、加算結果の画素重心位置は可変マイクロレンズ２０１の偏心に応じてずれることになる。
【００４１】
図６に示す例では、同色の隣り合う画素であるＲ画素６０１およびＲ画素６０３を加算すると、加算結果の画素重心位置はＲ画素６０１とＧ１画素６０２との間に位置するＲ画素６１０となる。
【００４２】
同様にして、Ｇ１画素６０２とＧ１画素６０４とを加算した加算結果の画素重心位置はＲ画素６１１となる。そして、次のＲ画素ペアを加算すると、加算結果の画素重心位置はＲ画素６１２の重心位置となる。また、次のＧ１画素ペアを加算すると、加算結果の画素重心位置はＧ１画像６１３の重心位置となる。
【００４３】
この際、Ｒ画素３１０とＧ１画素３１１とは互いに隣接しているが、Ｇ１画素３１１とＲ画素３１２との間には隙間がある。そして、隙間を詰めて読み出しが行われる結果、画素重心位置が等間隔であるとして信号処理を行うと画質の劣化が生じる。そこで、可変マイクロレンズ２０１を動画用に偏心させて、上記の重心ズレを軽減する。
【００４４】
図６に示す例では、Ｒ画素６１０、Ｇ１画素６１１、Ｒ画素６１２、およびＧ１画素６１３の間隔は等間隔とならないが、可変マイクロレンズ２０１を偏心させない状態である図３に示す例に比べてその間隔は等間隔に近づいている。この結果、画素重心位置が等間隔であるとして信号処理を行った場合にはその画質劣化が低減する。
【００４５】
動画又はライブビューにおけるＡＦ制御においては、図４に示す第１の偏心マイクロレンズ４０１および第２の偏心マイクロレンズ４０２を用いて像面位相差ＡＦ（像面位相差オートフォーカス制御）が行われる。偏心マイクロレンズを用いた像面位相差ＡＦは、前述の特許文献１に記載の手法が用いられることになる。
【００４６】
図７は、図２に示す可変マイクロレンズ２０１の偏心の他の例を示す図である。
【００４７】
図７に示す可変マイクロレンズ２０１の偏心はＡＦ用マイクロレンズ形態（第２の偏心モード）において用いられる。図７に示すＡＦ用マイクロレンズ形態では、同色の画素について、交互に可変マイクロレンズ２０１を第１の偏心マイクロレンズ７０１および第２の偏心マイクロレンズ７０２とする。つまり、１ラインに２色ある画素の全てについて、同色の画素における可変マイクロレンズ２０１を交互に異なる方向に所定の偏心量で偏心させて、第１の偏心マイクロレンズ７０１および第２の偏心マイクロレンズ７０２が交互に位置するようにする。
【００４８】
なお、動画用マイクロレンズ形態では、水平方向の２色の画素のうち１色の画素のみを用いて像面位相差ＡＦが行われるが、ＡＦ用マイクロレンズ形態においては全ての画素を用いて像面位相差ＡＦが行われる。
【００４９】
静止画用マイクロレンズ形態（第３の偏心モード）では、全ての可変マイクロレンズ２０１が偏心なしとされる（無偏心モード）。この静止画用マイクロレンズ形態では、像面位相差ＡＦが行われない撮像センサーと等価になって、静止画を撮影する際には画質を良好にすることができる。
【００５０】
続いて、上述のした可変マイクロレンズ２０１の形態の切り替え制御について説明する。
【００５１】
図８は、図１に示すカメラ１００で行われる可変マイクロレンズ２０１の形態切り替え制御を説明するためのフローチャートである。なお、図８に示すフローチャートに係る処理は制御ＣＰＵ１０７の制御下で行われる。
【００５２】
いま、図１に示すカメラ１００において、ユーザが撮影モードを選択すると、制御用ＣＰＵ１０７は撮像センサー１０２を制御して可変マイクロレンズ２０１を前述の動画用マイクロレンズ形態に切り替える（ステップＳ１０１）。
【００５３】
これによって、撮像センサー１０２は、ライブビュー動作状態となって（ステップＳ１０２）、信号処理部１０４によって表示デバイス１０５にライブビューが表示される。
【００５４】
次に、制御用ＣＰＵ１０７はレリーズボタン１０８が操作されたか（押されたか）否かを判定する（ステップＳ１０３）。レリーズボタン１０８が操作されないと、つまり、ボタン解放状態であると（ステップＳ１０３において、ＮＯ）、制御用ＣＰＵ１０７はステップＳ１０２の処理に戻ってライブビュー動作を継続する。
【００５５】
一方、レリーズボタン１０８が操作されると、つまり、ボタンが押されると（ステップＳ１０３において、ＹＥＳ）、制御用ＣＰＵ１０７は撮像センサー１０２を制御して可変マイクロレンズ２０１を前述のＡＦ用マイクロレンズ形態に切り替える（ステップＳ１０４）。そして、制御用ＣＰＵ１０７はＡ／Ｄ変換部１０３の出力であるデジタル信号に応じて像面位相差ＡＦ制御を行って、図示しないレンズ駆動部によってフォーカスレンズを光軸方向に沿って駆動する（ステップＳ１０５）。
【００５６】
続いて、制御用ＣＰＵ１０７はレリーズボタン１０８が全押しされたか否かを判定する（ステップＳ１０６）。レリーズボタン１０８が解放されると（ステップＳ１０６において、解放）、制御用ＣＰＵ１０７はステップＳ１０２の処理に戻ってライブビュー動作を継続する。
【００５７】
一方、レリーズボタン１０８が半押しであると（ステップＳ１０６において、半押し）、制御用ＣＰＵ１０７は撮像センサー１０２を制御して可変マイクロレンズ２０１を動画用マイクロレンズ形態に切り替える（ステップＳ１０７）。そして、制御用ＣＰＵ１０７はライブビュー動作を行う（ステップＳ１０８）。
【００５８】
その後、制御用ＣＰＵ１０７はレリーズボタン１０８が全押しされたか否かを判定する（ステップＳ１０９）。レリーズボタン１０８が解放されると（ステップＳ１０９において、解放）、制御用ＣＰＵ１０７はステップＳ１０２の処理に戻ってライブビュー動作を継続する。レリーズボタン１０８が半押しであると（ステップＳ１０９において、半押し）、制御用ＣＰＵ１０７はステップＳ１０８の処理に戻ってライブビュー動作を継続する。
【００５９】
一方、レリーズボタン１０８が全押しされると（ステップＳ１０９において、全押し）、つまり、静止画撮影指示があると、制御用ＣＰＵ１０７は撮像センサー１０２を制御して可変マイクロレンズ２０１を前述の静止画用マイクロレンズ形態に切り替える（ステップＳ１１０）。ここでは、制御用ＣＰＵ１０７は可変マイクロレンズ２１０の偏心を解除することになる。
【００６０】
そして、制御用ＣＰＵ１０７は信号処理部１０４および記録デバイス１０６を制御して静止画撮影を行う（ステップＳ１１１：レリーズ動作）。これによって、撮像センサー１０２から出力された画像信号（アナログ信号）が画像処理された後、記録デバイス１０６に記録される。
【００６１】
その後、制御用ＣＰＵ１０７はステップＳ１０１の処理に戻って、撮像センサー１０２を制御して可変マイクロレンズ２０１を動画用マイクロレンズ形態に切り替える。
【００６２】
なお、ステップＳ１０６において、レリーズボタン１０８が全押しであると（ステップＳ１０６において、全押し）、制御用ＣＰＵ１０７はステップＳ１１０の処理に進んで、撮像センサー１０２を制御して可変マイクロレンズ２０１を静止画用マイクロレンズ形態に切り替える。
【００６３】
このように、本発明の実施の形態では、撮像センサー１０２に備えられた可変マイクロレンズ２０１の偏心を制御して、ライブビュー又は動画撮影の際には、可変マイクロレンズ２０１を動画用マイクロレンズ形態とする。また、ＡＦ制御の際には可変マイクロレンズ２０１をＡＦ用マイクロレンズ形態として、静止画撮影の際には可変マイクロレンズ２０１を静止画用マイクロレンズ形態とする。これによって、像面位相差ＡＦによって容易に合焦を行えるばかりでなく、撮影の際には、撮像素子の出力である画像の画質が劣化することを防止することができる。
【００６４】
上述の説明から明らかなように、図１に示す例においては、制御用ＣＰＵ１０７が第１のモード変更手段および第２のモード変更手段として機能する。さらに、制御用ＣＰＵ１０７は制御手段および第３のモード変更手段として機能する。
【００６５】
以上、本発明について実施の形態に基づいて説明したが、本発明は、これらの実施の形態に限定されるものではなく、この発明の要旨を逸脱しない範囲の様々な形態も本発明に含まれる。
【００６６】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００６７】
上記の制御方法および制御プログラムの各々は、少なくとも第１のモード変更ステップおよび第２のモード変更ステップを有している。
【００６８】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【００６９】
１０１  光学系
１０２  撮像センサー
１０３  Ａ／Ｄ変換部
１０４  信号処理部
１０５  表示デバイス
１０６  記録デバイス
１０７  制御用ＣＰＵ
１０８  レリーズボタン
２０１  可変マイクロレンズ
２０２  カラーフィルター
【図１】
2014206709.tif 000003
【図２】
2014206709.tif 000004
【図３】
2014206709.tif 000005
【図４】
2014206709.tif 000006
【図５】
2014206709.tif 000007
【図６】
2014206709.tif 000008
【図７】
2014206709.tif 000009
【図８】
2014206709.tif 000010